(57)【要約】【課題】景観が損なわれない建具を提供する。【解決手段】室内外を連通する開口部に設けられた枠体と、縦框を有して前記開口部を開閉自在に前記枠体に取り付けられた障子と、施錠装置と、を備えた建具であって、前記施錠装置は、前記縦框の見込み方向に沿う側面側に露出する第１表面、前記第１表面から見付け方向に凹設された第２表面、および前記第２表面から見付け方向に凹設された収容溝部を有する台座と、前記収容溝部に少なくとも部分的に収容される操作レバーと、を有しており、前記収容溝部は、前記縦框の見込み方向における室内側に偏らせて配置されている。【選択図】図３
2008163611.tif 000002
【特許請求の範囲】
【請求項１】
室内外を連通する開口部に設けられた枠体と、縦框を有して前記開口部を開閉自在に前記枠体に取り付けられた障子と、施錠装置と、を備えた建具であって、
前記施錠装置は、
前記縦框の見込み方向に沿う側面側に露出する第１表面、前記第１表面から見付け方向に凹設された第２表面、および前記第２表面から見付け方向に凹設された収容溝部を有する台座と、
前記収容溝部に少なくとも部分的に収容される操作レバーと、を有しており、
前記収容溝部は、前記縦框の見込み方向における室内側に偏らせて配置されていることを特徴とする建具。
【請求項２】
請求項１または請求項２に記載の建具であって、
前記操作レバーは、前記台座に連結されるレバー本体と、当該レバー本体の先端に設けられるつまみ部とを有しており、
施錠時に、前記台座の前記第１表面は、前記レバー本体より見付け方向に突出していることを特徴とする建具。
【請求項３】
請求項２に記載の建具であって、
前記つまみ部は、前記レバー本体よりも見込み方向の寸法が大きく形成されており、
前記レバー本体の先端が、前記つまみ部の見込み方向における室内側の部位に連結されていることを特徴とする建具。
【請求項４】
請求項１乃至請求項３のいずれかに記載の建具であって、
前記障子を閉じた際に、前記縦框の見込み方向における室外側において当該縦框と対向する対向部材が設けられており、
前記操作レバーは、見込み方向に沿った回動軸を中心に回動可能に前記台座に連結され、
前記施錠装置は、前記操作レバーを回動することにより、施錠位置と解除位置との間を上下方向に沿って往復移動する移動部材を有し、
前記移動部材は、移動部材本体と当該移動部材本体から見込み方向における室外側へ向かって突出したピンとを備えており、
前記対向部材は、前記障子を閉じた状態で、前記移動部材が前記施錠位置へ移動した際に前記ピンが係合する係合部を有し、
前記移動部材本体は、前記縦框における室外側に配置されていることを特徴とする建具。
【請求項５】
請求項４に記載の建具であって、
前記枠体は、
前記障子を閉じた状態で前記移動部材が前記施錠位置へ移動した際に、当該移動部材の上下方向における端部が嵌合する嵌合部、を備えることを特徴とする建具。
【請求項６】
請求項４又は請求項５に記載の建具であって、
前記障子より室外側に設けられ、前記障子と異なる他の障子を有し、
前記縦框は、前記障子に設けられた内召合框であり、
前記対向部材は、前記他の障子に設けられた外召合框であり、
前記係合部は、
当該係合部に前記ピンが係合する際に前記内召合框と前記外召合框とが前記見込み方向において互いに近づくように案内する見込み方向案内部と、
前記係合部に前記ピンが係合する際に前記障子と前記他の障子とが前記見付け方向において互いに遠ざかるように案内する見付け方向案内部と、
を有していることを特徴とする建具。
【請求項７】
請求項４乃至請求項６に記載の建具であって、
前記障子は、前記縦框から見込み方向に出入可能に設けられ室外側に突出することにより前記移動部材の移動を防止する移動防止部材を有し、
前記障子を閉じた際に前記移動防止部材が前記縦框内方に押されることにより、前記移動部材が移動可能となることを特徴とする建具。
【発明の詳細な説明】
【技術分野】
【０００１】
本発明は、建具に関する。特に、室内外を連通する開口部に設けられた枠体と、縦框を有して前記開口部を開閉自在に取り付けられた障子とを備える建具に関する。
【背景技術】
【０００２】
室内外を連通する開口部に設けられた枠体と、縦框を有して前記開口部を開閉自在に取り付けられた障子とを備える建具は既によく知られている。かかる建具の中には、閉じられた前記障子に鍵をかけるための施錠装置を有するものがある（例えば、特許文献１参照）。
【特許文献１】特開平１０−２９２６９２号公報
【発明の開示】
【発明が解決しようとする課題】
【０００３】
上述した施錠装置の中には、施錠操作のために、框の見込み方向に沿う側面に露出している操作部を備えるものがあるが、このような施錠装置は当該操作部があることが原因となって建具を含む建具越しに見える景観を損ねる可能性がある。  
本発明は、かかる課題に鑑みてなされたものであり、その目的とするところは、景観が損なわれない建具を提供することにある。
【課題を解決するための手段】
【０００４】
かかる目的を達成するために本発明の建具は、室内外を連通する開口部に設けられた枠体と、縦框を有して前記開口部を開閉自在に前記枠体に取り付けられた障子と、施錠装置と、を備えた建具であって、前記施錠装置は、前記縦框の見込み方向に沿う側面側に露出する第１表面、前記第１表面から見付け方向に凹設された第２表面、および前記第２表面から見付け方向に凹設された収容溝部を有する台座と、前記収容溝部に少なくとも部分的に収容される操作レバーと、を有しており、前記収容溝部は、前記縦框の見込み方向における室内側に偏らせて配置されていることを特徴とする建具である。
【０００５】
操作レバーが部分的に収容される収容溝部は、縦框の見込み方向に沿う側面側に露出する第１表面より凹設された第２表面から更に凹設させて形成されているので、収容溝部は室内側からは見えにくくなる。また、収容溝部は、縦框の見込み方向における室内側に偏らせて配置されているので、室内側からはより見えにくくなる。このため、室内側からの景観が損なわれない建具が実現される。
【０００６】
かかる建具であって、前記操作レバーは、前記台座に連結されるレバー本体と、当該レバー本体の先端に設けられるつまみ部とを有しており、施錠時に、前記台座の前記第１表面は、前記レバー本体より見付け方向に突出していることが望ましい。  
このような建具によれば、施錠時には第１表面がレバー本体より見付け方向に突出しているので、第１表面によりレバー本体は見えにくくなる。また、レバー本体にはつまみ部が設けられているので、操作しやすい操作レバーを実現することが可能である。このため、施錠時には、レバー本体を見えにくくして良好な景観を保ち、かつ、操作性の良い建具を実現することが可能である。
【０００７】
かかる建具にあっては、前記つまみ部は、前記レバー本体よりも見込み方向の寸法が大きく形成されており、前記レバー本体の先端が、前記つまみ部の見込み方向における室内側の部位に連結されていることが望ましい。  
このような建具によれば、レバー本体よりも見込み方向の寸法が大きなつまみ部を備えて操作性を高めるとともに、レバー本体を見込み方向においてより室内側に偏らせて配置させることが可能である。このため、より操作がし易く、かつ、室内側からの景観が損なわれない建具が実現される。
【０００８】
かかる建具であって、前記障子を閉じた際に、前記縦框の見込み方向における室外側において当該縦框と対向する対向部材が設けられており、前記操作レバーは、見込み方向に沿った回動軸を中心に回動可能に前記台座に連結され、前記施錠装置は、前記操作レバーを回動することにより、施錠位置と解除位置との間を上下方向に沿って往復移動する移動部材を有し、前記移動部材は、移動部材本体と当該移動部材本体から見込み方向における室外側へ向かって突出したピンとを備えており、前記対向部材は、前記障子を閉じた状態で、前記移動部材が前記施錠位置へ移動した際に前記ピンが係合する係合部を有し、前記移動部材本体は、前記縦框における室外側に配置されていることが望ましい。  
このような建具によれば、ピンを備えた移動部材本体と係合部との距離を近くすることができるので、ピンと係合部との係合力を向上することが可能である。
【０００９】
かかる建具であって、前記枠体は、前記障子を閉じた状態で前記移動部材が前記施錠位置へ移動した際に、当該移動部材の上下方向における端部が嵌合する嵌合部、を備えることが望ましい。  
このような建具によれば、ピンと係合部とによる係合以外に、移動部材が枠とも嵌合するため、多点施錠が可能となって防犯性が向上する。
【００１０】
かかる建具であって、前記障子より室外側に設けられ、前記障子と異なる他の障子を有し、前記縦框は、前記障子に設けられた内召合框であり、前記対向部材は、前記他の障子に設けられた外召合框であり、前記係合部は、当該係合部に前記ピンが係合する際に前記内召合框と前記外召合框とが前記見込み方向において互いに近づくように案内する見込み方向案内部と、前記係合部に前記ピンが係合する際に前記障子と前記他の障子とが前記見付け方向において互いに遠ざかるように案内する見付け方向案内部と、を有していることが望ましい。  
このような建具によれば、室内外の障子がそれぞれ適切に密閉される。
【００１１】
かかる建具であって、前記障子は、前記縦框から見込み方向に出入可能に設けられ室外側に突出することにより前記移動部材の移動を防止する移動防止部材を有し、前記障子を閉じた際に前記移動防止部材が前記縦框内方に押されることにより、前記移動部材が移動可能となることが望ましい。  
このような建具によれば、障子が開いた状態では、移動防止部材により移動部材の移動が防止されているので、移動部材を移動させること、すなわち、施錠装置の操作をすることはできない。このため、障子が開いた状態で、施錠装置が誤って操作されることを防止することが可能である。
【発明の効果】
【００１２】
本発明によれば、景観が損なわれない建具を提供することができるという効果がある。
【発明を実施するための最良の形態】
【００１３】
以下、本発明の一実施形態に係る建具１０について、図１〜図９を参照して説明する。  
本実施の形態に係る建具１０は、図１に示すように、室内外を連通する開口部を形成する不図示の躯体に固定される枠体１４と、開口部を開閉自在に取り付けられた障子としての可動窓２０と、枠体１４に取り付けられており、他の障子としての開閉できないＦＩＸ窓６０と、閉じられた可動窓２０に鍵をかけるための施錠装置３０（図６参照）と、を有している。以下の説明においては、建具１０を室内側から見たときに、上下となる方向を上下方向、左右となる方向を左右方向または見付け方向、奥行き方向（室内外方向）を見込み方向とする。
【００１４】
枠体１４は、可動窓２０及びＦＩＸ窓６０よりも上側及び下側に位置する横枠としての上枠１４ａ及び下枠１４ｂと、左側及び右側に位置する縦枠１４ｃ、１４ｄと、を有している。
【００１５】
図１及び図２に示すように、可動窓２０がＦＩＸ窓６０よりも室内側、かつ、見付け方向における右側に位置している。可動窓２０は、当該可動窓２０の上側及び下側にそれぞれ位置する上框２２及び下框２４と、当該可動窓２０の見付け方向における左右にそれぞれ位置する二つの縦框と、を有している。二つの縦框のうち、左側の縦框が、可動窓２０が閉じられた状態でＦＩＸ窓６０と対向する召合框となる。以下の説明では、可動窓２０の召合框を内召合框２６という。また、可動窓２０は、上枠１４ａおよび下枠１４ｂに設けられたレールに沿って見付け方向にスライド可能である。そして、可動窓２０を、見付け方向において右方向に移動させると可動窓２０が閉じられ、逆に、可動窓２０を見付け方向において左方向に移動させると可動窓２０が開かれるようになっている。
【００１６】
ＦＩＸ窓６０は、図１及び図２に示すように、可動窓２０よりも室外側、かつ、見付け方向における左側に位置しており、見付け方向における窓幅は、可動窓の窓幅よりも大きく形成されている。ＦＩＸ窓６０は、当該ＦＩＸ窓６０の上側及び下側にそれぞれ位置する、上框６２及び下框６４と、ＦＩＸ窓６０の見付け方向における左右にそれぞれ位置する二つの縦框とを有している。二つの縦框のうち、右側の縦框が、可動窓２０が閉じられた状態で可動窓２０と対向する召合框となる。以下の説明においては、ＦＩＸ窓６０の召合框を外召合框６６という。
【００１７】
施錠装置３０は、可動窓２０に鍵をかけるためのものであり、可動窓２０が閉められた状態で、ユーザーが施錠装置３０を操作すると、可動窓２０に鍵がかかるようになっている。施錠装置３０は、内召合框２６に設けられており、台座３２と、操作レバー３６と、連結部材４０と、移動部材４５とを備えている。
【００１８】
施錠装置３０は、ユーザー等が、内召合框２６の内部に手を入れることなく、室内側から操作レバー３６を操作して可動窓２０に容易に鍵をかけることができるように、操作レバー３６が、内召合框２６の見込み方向に沿う側面２６ａに露出されている。
【００１９】
台座３２は、縦長の部材であり、その長手方向が上下方向に沿うように内召合框２６に、見込み方向における室内側に偏らせて設けられている。台座３２には操作レバー３６が少なくとも部分的に収容溝部３２ｈに収容された状態にて回動自在に支持されており、操作レバー３６の回動により連結部材４０を介して移動部材４５が移動するように構成されている。
【００２０】
台座３２は、内召合框２６の見込み方向に沿う側面側に露出された第１表面としての外表面３２ｅを有するとともに見付け方向に僅かに突出された矩形枠状部３２ｆと、外表面３２ｅから見付け方向に凹設された第２表面としての内表面３２ｇと、内表面３２ｇから見付け方向に凹設された収容溝部３２ｈとを有している。
【００２１】
矩形枠状部３２ｆは、長手方向が上下方向に沿うような長方形の枠状に形成され、内側には凹部が形成されている。凹部は、上下方向に概ね３つの領域に分けられており、中央の領域は、見付け方向に僅かに凹設された中央凹部３２ｄであり、中央凹部３２ｄの見込み方向に沿う面が内表面３２ｇとなる。内表面３２ｇの上側の領域および下の領域には、内表面３２ｇより深く凹設された上凹部３２ｂおよび下凹部３２ｃが設けられている。また、中央凹部３２ｄには、内表面３２ｇから見付け方向に凹設させて、見込み方向における長さ、すなわち、凹部の幅が上凹部３２ｂ及び下凹部３２ｃの幅より狭い収容溝部３２ｈが形成されている。収容溝部３２ｈは、中央凹部３２ｄの見込み方向における室内側に偏らせて配置され、上凹部３２ｂ及び下凹部３２ｃと連通するように形成されている。本実施形態の台座３２は、収容溝部３２ｈを形成し、後述する操作レバー３６のガイドとなるガイド部材３４と、台座３２の他の部位３３とが別部材として構成されている。
【００２２】
操作レバー３６は、可動窓２０の施錠や施錠の解除を行う際に、ユーザーにより操作されるフランス落とし式のレバーであり、ほぼ板状のレバー本体３７と、レバー本体３７の先端部３７ａと連結されたつまみ部３８とを有している。操作レバー３６は、つまみ部３８が上側に位置する施錠位置（図３の左図参照）とつまみ部３８が下側に位置する解除位置（図３の右図参照）との間を、見込み方向に沿った回動軸（仮想中心軸）を回動中心として往復回動可能となっている。レバー本体３７の回動軸側の端部（以下、回動端部という）３７ｂには、後述する連結部材４０の回動シャフト４１が嵌合する正方形状の穴部３７ｃが設けられており、回動軸は穴部３７ｃの中心に位置している。
【００２３】
そして、ユーザーがつまみ部３８を把持して操作レバー３６を解除位置から施錠位置へ移動させると可動窓２０が施錠され、操作レバー３６を施錠位置から解除位置へ移動させると可動窓２０の施錠が解除されるようになっている。
【００２４】
操作レバー３６のレバー本体３７における回動端部３７ｂは、幅狭の収容溝部３２ｈ、すなわちレバー本体３７を見込み方向における両側からガイドするためのガイド部材３４内に配置されている。そして、図３の左図に示すように、操作レバー３６が施錠位置に位置する際には、レバー本体３７がガイド部材３４内の収容溝部３２ｈに、つまみ部３８が上凹部３２ｂに、それぞれ収容される。一方、図３の右図に示すように、操作レバー３６が解除位置に位置する際には、レバー本体３７がガイド部材３４内の収容溝部３２ｈに、つまみ部３８が下凹部３２ｃに、それぞれ収容される。この際、つまみ部３８の一部は、台座３２から若干突出しており、解錠状態にあることが目視でわかるようになっている。
【００２５】
なお、図３から明らかなように、レバー本体３７は、内召合框２６の見込み方向に沿う側面２６ａにて見込み方向における室内側に位置し、レバー本体３７の先端部３７ａは、つまみ部３８の見込み方向における室内側の部位と連結されている。そして、このようにレバー本体３７とつまみ部３８とが連結された操作レバー３６が、施錠位置や解除位置に位置する際に、上凹部３２ｂ、下凹部３２ｃ、収容溝部３２ｈに適切に収容されるように、収容溝部３２ｈは、台座３２に、見込み方向における室内側に偏らせて配置されている。
【００２６】
連結部材４０は、操作レバー３６と移動部材４５とを連結する部材であり、操作レバー３６の往復回動運動を、移動部材４５の往復移動としての往復直進運動に変換する機能を有している。この連結部材４０は、回動シャフト４１と、作用部４２と、第一突出ピン４３と、を備えている。
【００２７】
回動シャフト４１は、台座３２に設けられた台座穴部３２ａ及びガイド部材３４に設けられたガイド部材穴部３４ａを貫通した状態で、これら台座穴部３２ａ及びガイド部材穴部３４ａにより回動自在に支持されている。この回動シャフト４１の見込み方向における室内側および室外側の端部には各々、断面が正方形状の嵌合部４１ａ、４１ｂが備えられており、室内側の嵌合部４１ａは操作レバー３６の前述した穴部３７ｃに嵌合し、室外側の嵌合部４１ｂは作用部４２に設けられた穴部４２ａに嵌合している。そして、回動シャフト４１の回動軸は、操作レバー３６の前述した回動軸と一致しており、操作レバー３６が操作されて当該操作レバー３６が施錠位置と解除位置との間を往復回動すると、回動シャフト４１も操作レバー３６と一体的に往復回動するようになっている。このとき、操作レバー３６の回動端部３７ｂは、ガイド部材３４に設けられた板ばね４４により見付け方向左側に押圧されている。この板ばね４４は、中央が突出するように屈曲された屈曲部４４ａを有しており、レバー本体３７が回動されて回動端部３７ｂの突部３７ｄが屈曲部４４ａを乗り越えることにより、操作するユーザーに操作感を与えるように機能する。
【００２８】
作用部４２は、ほぼ楕円状に形成された板材であり、一方の端部側に回動シャフト４１の嵌合部４１ｂが嵌合される穴部４２ａが設けられ、他方の端部側には、回動軸と平行に設けられ見込み方向における室外側に突出された第一突出ピン４３が設けられている。このため、作用部４２は、回動シャフト４１と一体的に回動し、第一突出ピン４３は、操作レバー３６が施錠位置に位置する際に略下方向に位置し、解除位置に位置する際に略上方向に位置し、これらの位置の間では、見付け方向における右側に突出するような円弧を描く軌道上を移動するように構成されている。
【００２９】
第一突出ピン４３は、移動部材４５の後述する略横長状のピン挿入穴４７ａに挿入されており、当該ピン挿入穴４７ａ内を移動しながらピン挿入穴４７ａの内面を押すことにより、移動部材４５を上下方向に往復直進移動させる。
【００３０】
移動部材４５は、図４に示すように、内召合框２６の内部に位置する内部部材４７と内召合框２６の外部に位置する外部部材４８とからなる移動部材本体４６と、後述する第二突出ピン４６ａと、を備えている。
【００３１】
内部部材４７の上下方向中央部には、前記第一突出ピン４３が挿入されるピン挿入穴４７ａが設けられ、このピン挿入穴４７ａの上側と下側には、長手方向が上下方向に沿った長穴４７ｂ、４７ｃが、それぞれ設けられている。  
ピン挿入穴４７ａは、水平方向に長いほぼ横長の穴であるが、第一突出ピン４３が設けられている作用部４２の回動中心側は、上下方向に拡径されて、凹部４７ｆが設けられている。  
長穴４７ｂ、４７ｃには、ネジが挿入され、該ネジは、台座３２のネジ穴に、内部部材４７が移動可能となるように止められている。したがって、内部部材４７は、台座３２に対し上下方向に沿って相対直進移動可能となっている一方で、内部部材４７の上下方向以外の移動はほぼ不可能となっている。つまり、長穴４７ｂ、４７ｃは、ネジと協働して、内部部材４７の移動を上下方向に沿った移動に限定するガイドとして機能している。
【００３２】
ピン挿入穴４７ａには、第一突出ピン４３が挿入され、操作レバー３６（回動シャフト４１）の回動に伴って移動する第一突出ピン４３がピン挿入穴４７ａの内面を押すことにより、内部部材４７が上下方向に沿って直進移動するようになっている。例えば、操作レバー３６が施錠位置に位置する状態（図５の右図）から、操作レバー３６が解除位置へ回動されると、第一突出ピン４３は、ピン挿入穴４７ａ内を回動軸を中心に円弧を描くように回動軸の下側から上側へ移動しようとする。施錠状態において、ピン挿入穴４７ａの下側の凹部４７ｆに位置している第一突出ピン４３は、ピン挿入穴４７ａの下側の凹部４７ｆから回動軸を中心に円弧を描くように移動するので、凹部４７ｆから抜け出して横穴部４７ｅに移動する際に、凹部４７ｆと横穴部４７ｅとの境界部分を乗り上げる。その後、さらに回動軸を中心に円弧を描くように上方へ移動しながら横穴部４７ｅを押し上げることにより内部部材４７を上方へ押し上げる（図５の右図→中央部→左図）。第一突出ピン４３が円弧を描きながら移動しつつ内部部材４７を上方へ押し、横穴部４７ｅと凹部４７ｆとの境界部分を乗り上げて上側の凹部４７fに至ることにより、内部部材４７は、図５の右図の施錠位置から、上方へ直進移動し、図５の左図の解除位置へ到達することとなる。
【００３３】
また、操作レバー３６が解除位置に位置する状態（図５の左図）から、操作レバー３６が施錠位置へ回動すると、第一突出ピン４３は、ピン挿入穴４７ａ内を、前記回動軸を中心に円弧を描くように回動軸の上側から下側へ移動しようとする。解除状態において、ピン挿入穴４７ａの上側の凹部４７ｆに位置している第一突出ピン４３は、ピン挿入穴４７ａの上側の凹部４７ｆから回動軸を中心に円弧を描くように移動するので、凹部４７ｆから抜け出して横穴部４７ｅに移動する際に、凹部４７ｆと横穴部４７ｅとの境界部分を乗り上げる。その後、さらに回動軸を中心に円弧を描くように下方へ移動しながら、内部部材４７の内面を下方へ押し下げる（図５の左図→中央部→右図）。第一突出ピン４３が円弧を描きながら移動しつつ内部部材４７を下方へ押し、横穴部４７ｅと凹部４７ｆとの境界部分を乗り上げて下側の凹部４７fに至ることにより、内部部材４７は、図５の左図の解除位置から、下方へ直進移動して、図５の右図の施錠位置へ到達することとなる。
【００３４】
外部部材４８は、内召合框２６の室外側に設けられており、内召合框２６の室外側面２６ｂに設けられた外部部材案内部２６ｃ（図２参照）により案内されて、室外側面２６ｂを摺動しながら上下方向に沿って直進移動する。この外部部材４８は、内召合框２６の上部から下部に亘って設けられた長尺状の平板であり、内部部材４７に設けられた外部部材取り付け部４７ｄにネジ止めされている。したがって、外部部材４８は、内部部材４７が上下方向に沿って直進移動すると、該内部部材４７と一体的に上下方向に沿って直進移動するようになっている。
【００３５】
このように、内部部材４７と外部部材４８とを有する移動部材本体４６は、操作レバー３６が回動することにより、施錠位置と解除位置との間を上下方向に沿って往復直進移動する。このとき、移動部材本体４６は、操作レバー３６が施錠位置から解除位置まで移動する際には上方へ直進し、解除位置から施錠位置まで移動する際には下方へ直進する。そして、施錠位置から解除位置への移動、及び、解除位置から施錠位置への移動の際に、第一突出ピン４３が横穴部４７ｅと凹部４７ｆとの境界部分を乗り上げる構成としたことにより、操作する際には負荷が作用する。これにより、操作レバー３６に触れるだけで誤って施錠装置が作動することを防止するとともに、施錠された状態で外部から移動部材４５等を操作して施錠状態が解除されることを防止している。
【００３６】
そして、図２に示すように、外部部材４８には、見込み方向に沿って室外側へ向かって突出したピンとしての第二突出ピン４６ａが設けられており、本実施の形態においては、第二突出ピン４６ａが、外部部材４８の上部と下部とにそれぞれ備えられている。なお、移動部材４５は、図２及び図４から理解されるように、内召合框２６における見込み方向に室外側に設けられている。
【００３７】
一方、可動窓２０よりも室外側に設けられ、可動窓２０が閉じられた際に移動部材４５と見込み方向において対向する対向部材としての、ＦＩＸ窓６０の外召合框６６には、図２に示すように、第二突出ピン４６ａと係合可能な係合部６７が設けられている。本実施の形態においては、係合部６７が、外召合框６６の対向面６６ａの上部と下部にそれぞれ固定されている。そして、移動部材４５が施錠位置に位置する際に、上部の係合部６７と上部の第二突出ピン４６ａとが、また、下部の係合部６７と下部の第二突出ピン４６ａとが、上下方向においてほぼ同様の位置関係にて係合するようになっている。
【００３８】
そして、図６に示すように、移動部材４５が、下方へ直進して、解除位置から施錠位置へ移動した際に、第二突出ピン４６ａが係合部６７に係合し（図６の左図→図６の右図）、逆に、移動部材４５が、上方へ直進して、施錠位置から解除位置へ移動した際に、第二突出ピン４６ａの係合部６７に対する係合が解かれるようになっている（図６の右図→図６の左図）。
【００３９】
次に、上述した施錠装置３０の動作について説明する。以下では、先ず、閉じられた可動窓２０に対する施錠の解除が行われるときの当該動作について説明し、これに引き続いて、施錠が行われるときの当該動作について説明する。
【００４０】
閉じられた可動窓２０に対して施錠の解除を行う際には、施錠位置に位置する操作レバー３６、すなわち、つまみ部３８が上側に位置する状態の操作レバー３６を、下側へ操作して、解除位置に位置させる（図３の左図→図３の右図）。かかる操作により、操作レバー３６が回動すると、連結部材４０の回動シャフト４１および作用部４２が、操作レバー３６と一体的に回動し、施錠位置から解除位置に移動する。このとき、作用部４２に設けられた第一突出ピン４３が、移動部材４５のピン挿入穴４７ａ内を、回動軸を中心に円弧を描くように回動軸の下側から上側へ移動しながら、移動部材４５の内部部材４７の内面を上方へ押す（図５の左図→中央部→右図）。このことにより、移動部材４５は、上方へ直進して、図６の右図の施錠位置から、図６の左図の解除位置へ移動する。この移動の際に、移動部材４５の第二突出ピン４６ａと、ＦＩＸ窓６０の外召合框６６に設けられた係合部６７との係合が解かれ、閉じられた可動窓２０に対する施錠が解除されることとなる。
【００４１】
一方、閉じられた可動窓２０に対して施錠を行う際には、解除位置に位置する操作レバー３６、すなわち、つまみ部３８が下側に位置する状態の操作レバー３６を、上側へ操作して、施錠位置に位置させる（図３の右図→図３の左図）。かかる操作により操作レバー３６が回動すると、連結部材４０の回動シャフト４１および作用部４２が、操作レバー３６と一体的に回動し、解除位置から施錠位置に移動する。このとき、作用部４２に設けられた第一突出ピン４３が、移動部材４５のピン挿入穴４７ａ内を、回動軸を中心に円弧を描くように回動軸の上側から下側へ移動しながら、移動部材４５の内部部材４７の内面を下方へ押す（図５の右図→中央部→左図）。このことにより、移動部材４５は、下方へ直進して、図６の左図の解除位置から、図６の右図の施錠位置へ移動する。この移動の際に、移動部材４５の第二突出ピン４６ａと、ＦＩＸ窓６０の外召合框６６に設けられた係合部６７とが係合し、閉じられた可動窓２０に対する施錠が行われることとなる。すなわち、可動窓２０を開くことができない状態となる。
【００４２】
なお、本実施の形態に係る建具１０においては、閉じられた可動窓２０に対して施錠が成されると、可動窓２０とＦＩＸ窓６０の引き寄せ及び引き分けが行われるようになっている。
【００４３】
前述した係合部６７には、図７に示すように、係合部６７に第二突出ピン４６ａが係合する際に第二突出ピン４６ａを見込み方向においてＦＩＸ窓６０、すなわち外召合框６６へ近づけるように案内する見込み方向案内部６７ａが設けられている。そして、閉じられた可動窓２０を施錠するために、操作レバー３６を上側へ操作すると、移動部材４５の第二突出ピン４６ａが下方へ移動し、やがて、係合部６７から離間していた第二突出ピン４６ａが、係合部６７の見込み方向案内部６７ａに接触する（図７の左図→図７の中央図）。その後、第二突出ピン４６ａは、見込み方向案内部６７ａの案内により見込み方向においてＦＩＸ窓６０（外召合框６６）へ近づきながら、下方への移動を継続し、最終的に、第二突出ピン４６ａと係合部６７とが係合し、内召合框２６と外召合框６６とが互いに近づけられた状態が維持される（図７の中央図→図７の右図）。このように、閉じられた可動窓２０に対し施錠が成される際には、第二突出ピン４６ａが見込み方向案内部６７ａにより案内されることにより可動窓２０に設けられた第二突出ピン４６ａが見込み方向においてＦＩＸ窓６０に近づき、可動窓２０とＦＩＸ窓６０の引き寄せが行われることとなる。
【００４４】
また、図７の各図におけるＡ矢視図である図８に示すように、係合部６７には、係合部６７に第二突出ピン４６ａが係合する際に、可動窓２０とＦＩＸ窓６０とを見付け方向において互いに遠ざけるように、第二突出ピン４６ａを案内する見付け方向案内部６７ｂが設けられている。そして、閉じられた可動窓２０を施錠するために、操作レバー３６を上側へ操作すると移動部材４５の第二突出ピン４６ａが下方へ移動し、やがて、係合部６７から離間していた第二突出ピン４６ａの円柱状の周面が、係合部６７の見付け方向案内部６７ｂに接触する（図８の左図→図８の中央図）。その後、第二突出ピン４６ａは、見付け方向案内部６７ｂの案内により見付け方向においてＦＩＸ窓６０（外召合框６６）から遠ざけられながら、下方への移動し、最終的に、第二突出ピン４６ａと係合部６７とが係合し、可動窓２０とＦＩＸ窓６０とが互いに遠ざけられた状態が維持される（図８の中央図→図８の右図）。このように、閉じられた可動窓２０に対し施錠が成される際には、第二突出ピン４６ａが見付け方向案内部６７ｂにより案内されることにより可動窓２０に設けられた第二突出ピン４６ａが見付け方向においてＦＩＸ窓６０から遠ざけられ、可動窓２０とＦＩＸ窓６０とが引き分けられることとなる。なお、本実施の形態においては、図示を省略するが、可動窓２０とＦＩＸ窓６０とが引き分けが行われた結果、可動窓２０の戸先框２８が縦枠１４ｄに押し付けられると、たとえば縦枠１４ｄに設けられた突出片が戸先框２８に設けられた傾斜面と接触して、突出片及び傾斜面の作用により可動窓２０が見込み方向においてＦＩＸ窓６０に近づくようになっている。
【００４５】
また、上記において、可動窓２０が閉じられている際に、操作レバー３６を操作すると可動窓２０に対する施錠が行われることを説明したが、可動窓２０が開かれているときには、操作レバー３６を操作しても、施錠が行われないようになっている。
【００４６】
すなわち、図２や図９に示すように、内召合框２６には、可動窓２０が開いているときに施錠装置３０を作動させないように移動部材４５の移動を防止するための移動防止部材としての作動防止部材２７、が備えられている。この作動防止部材２７は、図９の左図に示すように、可動窓２０が開いているときには、内召合框２６の内部に設けられた不図示のばねの付勢力により、外部部材４８に設けられた外部部材穴部４８ａから室外側に向かって大幅に突出した状態が維持されている。
【００４７】
そして、作動防止部材２７が、かかる状態にあるときに、解除位置に位置する操作レバー３６が上側へ操作されると、移動部材４５（外部部材４８）は、下方へ移動しようとするが、作動防止部材２７の上面２７ａが、外部部材４８において当該上面２７ａと対向する部位、すなわち、外部部材穴部４８ａの内側縁部４８ｂと物理的に干渉し、移動部材４５（外部部材４８）の下方への移動が規制されるようになっている。そのため、可動窓２０が開いているときには、操作レバー３６を上側へ操作しようとしても、操作レバー３６は動かず、施錠装置３０の作動が防止されることとなる。すなわち、可動窓２０が開いた状態では、移動部材４５の移動が防止されており、移動部材４５を移動させること、すなわち、施錠装置３０の操作をすることができないので、可動窓２０が開いた状態で、施錠装置３０が誤って操作されることを防止することが可能である。
【００４８】
一方、可動窓２０が閉じられると、移動部材４５（外部部材４８）が外召合框６６と見込み方向において対向することとなるが、かかる際には、外召合框６６に設けられた押さえ部６８が、外部部材４８に設けられた外部部材穴部４８ａから大幅に突出した作動防止部材２７を付勢力に抗して押さえつけることとなる（図６参照）。作動防止部材２７が押さえ部６８により押さえられることにより、作動防止部材２７の突出量が小さくなり、図９中央に示すように、作動防止部材２７に設けられ上下方向に沿った溝部２７ｂが、上面２７ａに代わって、内側縁部４８ｂに対向することとなる。そのため、解除位置に位置する操作レバー３６が上側へ操作されると、図９右に示すように、移動部材４５（外部部材４８）は、物理的な干渉なく、下方へ移動し、可動窓２０に対する施錠が適切に行われることとなる。
【００４９】
次に、本実施の形態に係る建具１０の優位性について説明する。  
建具１０および建具１０越しに見える景色等の景観を考慮すると、人が建具１０に正対した際に、特に内召合框２６の室内側面に正対した際に、当該人から操作レバー３６等の施錠装置３０、特に収容溝部３２ｈはなるべく見えないようにすることが望ましい。ここで、人が建具１０に正確に正対した際には、当該人から内召合框２６の見込み方向に沿った側面２６ａが見えることはないため、当該側面２６ａに露出した部位も台座３２以外は殆ど見えないこととなる。  
しかしながら、人が若干ずれて建具１０に正対した場合、たとえば、ほぼ正対しているが、正確には正対していない場合には、側面２６ａが若干ながら見える状況が生じ得る。
【００５０】
本実施の形態に係る建具１０は、人が若干ずれて建具１０に正対した状況において、顕著な優位性を発揮する。すなわち、本実施の形態に係る建具１０は、操作レバー３６のレバー本体３７およびレバー本体３７が収容される収容溝部３２ｈを見込み方向において室内側に配置している。さらに、収容溝部３２ｈは、内召合框２６の見込み方向に沿う側面２６ａ側に露出する外表面３２ｅから見付け方向に凹設された内表面３２ｇから更に凹設させて形成され、内召合框２６の見込み方向における室内側に偏らせて配置されているので、少なくとも室内側からは収容溝部３２ｈが見えにくくなる。このため、室内側からの景観が損なわれない建具１０が実現される。したがって、本実施の形態によれば、景観が損なわれない建具１０を提供することが可能である。
【００５１】
また、本実施の形態のように、操作レバー３６の構成を、つまみ部３８がレバー本体３７よりも見込み方向の寸法が大きく、レバー本体３７の先端が、つまみ部３８の見込み方向における室内側の部位に連結される構成とすることにより、レバー本体３７よりも見込み方向の寸法が大きなつまみ部３８を備えて操作性を高めるとともに、レバー本体３７を見込み方向において室内側に偏らせて配置させることが可能である。このため、人が若干ずれて建具１０に正対した状況においても、レバー本体３７が人から見えにくくなる。したがって、より操作がし易く、かつ、室内側からの景観が損なわれない建具が実現される。
【００５２】
また、本実施の形態においては、操作レバー３６等が側面２６ａの室内側にあるにもかかわらず、移動部材本体４６を内召合框２６の室外側に配置した。このことにより、移動部材本体４６を係合部６７に近づけることが可能となるため、移動部材本体４６から突出した第二突出ピン４６ａの突出方向における長さを短くすることができる。したがって、適切な強度を持った第二突出ピン４６ａが実現され、施錠装置３０の破損が起き難くなる。
【００５３】
また、本実施の形態においては、係合部６７に第二突出ピン４６ａが係合する際に可動窓２０をＦＩＸ窓６０へ近づけるように、第二突出ピン４６ａを案内する見込み方向案内部６７ａと、係合部６７に第二突出ピン４６ａが係合する際に可動窓２０とＦＩＸ窓６０とを見付け方向において互いに遠ざけるように第二突出ピン４６ａを案内する見付け方向案内部６７ｂと、を係合部に備えたので、第二突出ピン４６ａが見込み方向案内部６７ａにより案内されることにより、可動窓２０がＦＩＸ窓６０に引き寄せられ、また、第二突出ピン４６ａが見付け方向案内部６７ｂにより案内されることにより、可動窓２０とＦＩＸ窓６０とが引き分けられる。このため、可動窓２０とＦＩＸ窓６０の間、および、可動窓２０と右側の枠体１４（縦枠１４ｄ）との間を、それぞれ適切に密閉させることが可能である。
【００５４】
なお、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【００５５】
上記実施の形態においては、障子として可動窓２０を、他の障子としてＦＩＸ窓６０を、例に挙げて説明したが、これに限定されるものではなく、例えば、前記障子と前記他の障子の双方とも、可動窓であることとしてもよい。
【００５６】
また、上記実施の形態においては、操作レバー３６の回動により移動部材４５が施錠位置へ移動して、移動部材４５の第二突出ピン４６ａが係合部６７に係合することのみにより、前記可動窓２０に鍵がかかることとしたが、これに限定されるものではない。例えば、枠体１４は、図１０に示すように、可動窓２０が閉じられた状態で移動部材４５が施錠位置へ移動した際に、移動部材４５の上下方向における端部（例えば、下端部７４）が嵌合する嵌合部７２、を備える横枠（例えば、下枠１４ｂ）を有する構成とすると、操作レバー３６の回動により移動部材４５が施錠位置へ移動して、移動部材４５の第二突出ピン４６ａが係合部６７に係合し、かつ、移動部材４５の下端部７４が嵌合部７２に嵌合することにより、可動窓２０に鍵がかかることとしてもよい。
【００５７】
このような場合には、可動窓２０に対する施錠が、第二突出ピン４６ａと係合部６７との係合だけでなく、第二突出ピン４６ａと係合部６７との係合及び下端部７４と嵌合部７２との嵌合の双方により実現されるから、可動窓２０に対する施錠をより確実なものとし室内外の障子をそれぞれ適切に密閉することが可能である。
【００５８】
また、上記実施の形態においては、操作レバー３６の回動により移動部材４５を下方へ移動することによって第二突出ピン４６ａが係合部６７に係合されるものであったが、それに限らず、操作レバー３６の回動により移動部材４５を上方へ移動することによって第二突出ピン４６ａが係合部６７に係合されるものでも良い。その様な場合、施錠時における第二突出ピン４６ａと係合部６７との係りしろを長めに設けておくことで、施錠時に可動窓２０を持ち上げても第二突出ピン４６ａが係合部６７と常に係合状態となり、可動窓２０を開くことができない為、防犯性が向上する。
【００５９】
また、上記実施の形態においては、操作レバー３６を見込み方向に沿った回動軸を中心に回動可能に台座３２に連結していたが、それに限ることなく、操作レバーを台座に対して上下動自在に操作するタイプでも構わない。
【図面の簡単な説明】
【００６０】
【図１】本実施形態に係る建具を室内から見たときの概略正面図である。
【図２】本実施形態に係る建具を室外斜め上方から見たときの建具の要部の概略斜視図である。
【図３】本実施の形態に係る内召合框の側面を示した概略図である。
【図４】本実施の形態に係る施錠装置の概略分解図である。
【図５】連結部材の第一突出ピンが移動部材の内部部材を移動させる様子を示した概略説明図である。
【図６】第二突出ピンが係合部に係合する様子を示した概略説明図である。
【図７】見込み方向案内部が第二突出ピンを案内する様子を示した概略説明図である。
【図８】見付け方向案内部が第二突出ピンを案内する様子を示した概略説明図である。
【図９】作動防止部材を説明するための概略説明図である。
【図１０】移動部材の端部が嵌合する嵌合部を説明するための概略説明図である。
【符号の説明】
【００６１】
１０  建具、１４  枠体、１４ｂ  下枠、２０  可動窓、２６  内召合框、
２６ａ  側面、２７  作動防止部材、３０  施錠装置、３２  台座、
３２ｅ  外表面、３２ｇ  内表面、３２ｈ  収容溝部、３６  操作レバー、
３７  レバー本体、３７ａ  先端部、３８  つまみ部、４５  移動部材、
４６  移動部材本体、４６ａ  第二突出ピン、６０  ＦＩＸ窓、６６  外召合框、
６７  係合部、６７ａ  見込み方向案内部、６７ｂ  見付け方向案内部、
７２  嵌合部、７４  下端部
【図１】
2008163611.tif 000003
【図２】
2008163611.tif 000004
【図３】
2008163611.tif 000005
【図４】
2008163611.tif 000006
【図５】
2008163611.tif 000007
【図６】
2008163611.tif 000008
【図７】
2008163611.tif 000009
【図８】
2008163611.tif 000010
【図９】
2008163611.tif 000011
【図１０】
2008163611.tif 000012